(57)【要約】【課題】ガイド軸に塗布されるオイルによる汚染を低減することのできる光ピックアップを提供する。【解決手段】本発明の光ピックアップは、光源１０１と、光源１０１から出射した光を集光する対物レンズ１０２ａと、外部から対物レンズに入射した光を検出する受光素子１０３と、光源１０１、対物レンズ１０２ａおよび受光素子１０３を支持する光学ベース１０４であって、第１および第２の端面と、第１および第２の端面にそれぞれ開口が設けられており光ディスク装置のガイド主軸２００が挿入される貫通孔とを有する軸受け部１１、１２を含む光学ベースと、第１および第２の端面と、第１および第２の端面にそれぞれ開口がも受けられておりガイド主軸が挿入される貫通孔とを有し、軸受けの第１の端面と軸受け部１１、１２の第１の端面とが近接するように軸受け部の貫通孔内において支持された軸受け１３、１４とを備え、軸受け１３、１４の少なくとも第１の端面は、軸受け部１１、１２の第１の端面から奥まって位置している。【選択図】図１
2007179625.tif 000002
【特許請求の範囲】
【請求項１】
光源と、
光源から出射した光を集光する対物レンズと、
外部から対物レンズに入射した光を検出する受光素子と、
前記光源、対物レンズおよび受光素子を支持する光学ベースであって、第１および第２の端面と、前記第１および第２の端面にそれぞれ開口が設けられており光ディスク装置のガイド主軸が挿入される貫通孔とを有する軸受け部を含む光学ベースと、
第１および第２の端面と、前記第１および第２の端面にそれぞれ開口がもうけられており前記ガイド主軸が挿入される貫通孔とを有し、前記軸受けの第１の端面と前記軸受け部の第１の端面とが近接するように前記軸受け部の貫通孔内において支持された軸受けと、
を備え、前記軸受けの少なくとも第１の端面は、前記軸受け部の第１の端面から奥まって位置している、光ピックアップ。
【請求項２】
前記軸受けの前記第１の端面に隣接した領域において、前記軸受けの外側面と前記軸受け部の貫通孔を規定する内側面との間に空隙が設けられている請求項１に記載の光ピックアップ。
【請求項３】
前記光学ベースの軸受け部は、前記第１の端面近傍であって、前記貫通孔を規定する内側面から貫通孔の軸へ向かって伸びる壁部を有する請求項１に記載の光ピックアップ。
【請求項４】
前記軸受けの第１および第２の端面は、前記軸受け部の第１および第２の端面からそれぞれ奥まって位置している請求項１に記載の光ピックアップ。
【請求項５】
前記軸受けの前記第１の端面に隣接した領域において、前記軸受けの外側面と前記軸受け部の貫通孔を規定する内側面との間に空隙が設けられている請求項４に記載の光ピックアップ。
【請求項６】
前記光学ベースの軸受け部は、前記第２の端面近傍であって、前記貫通孔を規定する内側面から貫通孔の軸へ向かって伸びる壁部を有する請求項１に記載の光ピックアップ。
【請求項７】
前記軸受けの前記第１の端面に隣接した領域および前記第２の端面に隣接した領域のそれぞれにおいて、前記軸受けの外側面と前記軸受け部の貫通孔を規定する内側面との間に空隙が設けられている請求項４に記載の光ピックアップ。
【請求項８】
前記軸受け部および前記軸受けをそれぞれ複数備える請求項１から７のいずれかに記載の光ピックアップ。
【請求項９】
前記光学ベースは、光ディスク装置のガイド副軸と係合する軸受け部をさらに含み、
前記対物レンズは、前記ガイド副軸用軸受け部と前記ガイド主軸用軸受け部との間に位置しており、前記光源および受光素子は、前記対物レンズに対して前記ガイド主軸用軸受け部側に設けられている請求項１に記載の光ピックアップ。
【請求項１０】
前記軸受けは含油軸受けである請求項１から９のいずれかに記載の光ピックアップ。
【請求項１１】
前記ガイド主軸の直径は３mmであり、前記軸受けの内径は３mmであり、前記軸受けの外径は４mmであり、前記空隙の内径は４mmであり、前記空隙の外径は４．２以上４．５mm以下である請求項２に記載の光ピックアップ。
【請求項１２】
前記ガイド主軸の直径は３mmであり、前記軸受けの内径は３mmであり、前記軸受けの外径は４mmであり前記リング形状の壁の内径は３ｍmよりも大きく、かつ４ｍｍよりも小さい請求項３に記載の光ピックアップ。
【発明の詳細な説明】
【技術分野】
【０００１】
本発明は、光ディスク装置の光ピックアップに関する。
【背景技術】
【０００２】
光ディスクには、同心円状あるいはらせん状のデータを記録するためのトラックが設けられており、トラックに記録されたデータを再生したり、トラックにデータを記録したりするためには光ビームをディスクの半径方向に移動させる必要がある。このために、光ディスク装置は、光源や受光素子、対物レンズを含み、軸受けが設けられた光ピックアップを備え、光ディスク装置に装填された光ディスクの半径方向に伸びるガイド軸に軸受けを係合させることによって、ガイド軸に対して摺動可能なように、光ピックアップを支持している。また、光ピックアップはガイド軸に対して滑らかに移動する必要があるため、軸の表面には、摩擦を低減するためのオイルが塗布されている。
【０００３】
しかし、光ピックアップの移動にともなって、オイルが飛散し、光ピックアップの光学系を汚染するという問題が生じうる。特許文献１は、この問題を解決するために、光ピックアップのガイド機構としてすべり軸受けを有し、すべり軸受けの内部にオイルを封入もしくは充填するための溝あるいは切り欠けを形成することを開示している。
【特許文献１】特開平９−２０４７４３号公報
【発明の開示】
【発明が解決しようとする課題】
【０００４】
特許文献１の技術によれば、ガイド軸に多量のオイルが塗布されると軸受けの内部に幾分かはオイルが充填される。しかし、溝あるいは切りかけのオイル充填容量を越えたオイルが塗布されると軸受けの外部にオイルが漏れだし、軸受け近傍の光学系にオイルが流れ込み、光ディスクに対しての記録再生機能が低下するという問題点を有する。
【０００５】
また、金型を用いて軸受けを形成する場合、円筒中抜き形状の軸受けの内部に溝あるいは切り欠けを形成するのはかなり困難であり、このような構造の軸受けを有する光ピックアップは量産に適していない。
【０００６】
本発明はこのような従来技術の課題を解決し、ガイド軸に塗布されるオイルによる汚染を低減することのできる光ピックアップを提供することを目的とする。
【課題を解決するための手段】
【０００７】
本発明の光ピックアップは、光源と、光源から出射した光を集光する対物レンズと、外部から対物レンズに入射した光を検出する受光素子と、前記光源、対物レンズおよび受光素子を支持する光学ベースであって、第１および第２の端面と、前記第１および第２の端面にそれぞれ開口が設けられており光ディスク装置のガイド主軸が挿入される貫通孔とを有する軸受け部を含む光学ベースと、第１および第２の端面と、前記第１および第２の端面にそれぞれ開口が設けられており前記ガイド主軸が挿入される貫通孔とを有し、前記軸受けの第１の端面と前記軸受け部の第１の端面とが近接するように前記軸受け部の貫通孔内において支持された軸受けとを備え、前記軸受けの少なくとも第１の端面は、前記軸受け部の第１の端面から奥まって位置している。
【０００８】
ある好ましい実施形態において、前記軸受けの前記第１の端面に隣接した領域において、前記軸受けの外側面と前記軸受け部の貫通孔を規定する内側面との間に空隙が設けられている。
【０００９】
ある好ましい実施形態において、前記光学ベースの軸受け部は、前記第１の端面近傍であって、前記貫通孔を規定する内側面から貫通孔の軸へ向かって伸びる壁部を有する。
【００１０】
ある好ましい実施形態において、前記軸受けの第１および第２の端面は、前記軸受け部の第１および第２の端面からそれぞれ奥まって位置している。
【００１１】
ある好ましい実施形態において前記軸受けの前記第１の端面に隣接した領域において、前記軸受けの外側面と前記軸受け部の貫通孔を規定する内側面との間に空隙が設けられている。
【００１２】
ある好ましい実施形態において、前記光学ベースの軸受け部は、前記第２の端面近傍であって、前記貫通孔を規定する内側面から貫通孔の軸へ向かって伸びる壁部を有する。
【００１３】
ある好ましい実施形態において、前記軸受けの前記第１の端面に隣接した領域および前記第２の端面に隣接した領域のそれぞれにおいて、前記軸受けの外側面と前記軸受け部の貫通孔を規定する内側面との間に空隙が設けられている。
【００１４】
ある好ましい実施形態において、前記軸受け部および前記軸受けをそれぞれ複数備える。
【００１５】
ある好ましい実施形態において、前記光学ベースは、光ディスク装置のガイド副軸と係合する軸受け部をさらに含み、前記対物レンズは、前記ガイド副軸用軸受け部と前記ガイド主軸用軸受け部との間に位置しており、前記光源および受光素子は、前記対物レンズに対して前記ガイド主軸用軸受け部側に設けられている。
【００１６】
ある好ましい実施形態において、前記軸受けは含油軸受けである。
【００１７】
ある好ましい実施形態において、前記ガイド主軸の直径は３mmであり、前記軸受けの内径は３mmであり、前記軸受けの外径は４mmであり、前記空隙の内径は４mmであり、前記空隙の外径は４．２以上４．５mm以下である。
【００１８】
ある好ましい実施形態において前記ガイド主軸の直径は３mmであり、前記軸受けの内径は３mmであり、前記軸受けの外径は４mmであり前記リング形状の壁の内径は３ｍmよりも大きく、かつ４ｍｍよりも小さい。
【発明の効果】
【００１９】
本実施形態の光ピックアップによれば、軸受けが軸受け部に設けられた貫通孔内に固定されており、軸受けの端面は貫通孔内において、軸受け部の端面より奥まっている。このため、ガイド主軸に塗布された過剰なオイルは、軸受けが奥まって支持されることによって貫通孔内に形成される空間内にたまる。このため、過剰なオイルが光ピックアップ内に飛散し、光ピックアップ内部の光学系などを汚染することを防止することができる。
【発明を実施するための最良の形態】
【００２０】
（第１の実施形態）
以下、本発明による光ピックアップの第１の実施形態を説明する。図１（ａ）は光ピックアップ１００を示す斜視図である。光ピックアップ１００は、光源１０１と、受光素子１０３と、対物レンズ１０２ａと、光学ベース１０４とを備えている。光源１０１、受光素子１０３および対物レンズ１０２ａは光ベース１０４に支持されている。光源１０１、受光素子１０３および対物レンズ１０２ａは光源１０１から出射した所定の波長の光に対して最適化された光学系を構成している。光源１０１から出射した光は図示しないミラーやコリメートレンズなどに導かれ、対物レンズ１０２ａに入射する。対物レンズ１０２ａは、光源からの光を光ピックアップ１００の外部に向けて集光する。集光された光は、光ディスクのデータ記録面において反射し、反射光が対物レンズ１０２ａに入射する。外部から対物レンズに入射した光は、図示しないミラーなどに導かれ、受光素子１０３に入射する。受光素子１０３は、入射した光を電気信号に変換する。
【００２１】
本実施形態の光ピックアップ１００は、３つの規格の光ディスクに対応している。このため、光ピックアップ１００は、レーザダイオードユニット１１１、１１２と対物レンズ１０２ｂとをさらに備えている。レーザダイオードユニット１１１、１１２はそれぞれ異なる波長の光を出射し、その波長の光を検出するための光源および受光素子を備えている。レーザダイオードユニット１１１、１１２から出射した光は対物レンズ１０２ｂによって外部に向けて集光される。
【００２２】
本実施形態では、光源１０１、受光素子１０３および対物レンズ１０２ａは、例えば波長４０５ｎｍの光を用いる光ディスクの記録再生に用いられ、レーザダイオードユニット１１１および１１２と対物レンズ１０２ｂとはＣＤおよびＤＶＤの記録再生に用いられる。しかし、本発明の光ピックアップは、少なくとも一組の光源および受光素子を含む光学系を備えておればよい。また、光源１０１および受光素子１０３は、１つのレーザダイオードユニットを構成していてもよい。
【００２３】
光学ベース１０４は、軸受け部１０、１１、１２を含んでいる。光学ベース１０４において、軸受け部１０と軸受け部１１、１２とは、光源１０１、受光素子１０３、対物レンズ１０２ａ、レーザダイオードユニット１１１、１１２および対物レンズ１０２ｂが設けられた部分を挟むように設けられている。
【００２４】
軸受け部１０および軸受け部１１、１２は、平行に配置されたガイド副軸２０１およびガイド主軸２００にそれぞれ係合し、支持されている。このため、光ヘッド１００はガイド副軸２０１およびガイド主軸２００に沿って移動可能である。
【００２５】
図１（ｂ）は、図１（ａ）に示すＡ−Ａ断面図である。光学ベース１０４の軸受け部１１、１２はガイド主軸２００が挿入される貫通孔をそれぞれ有し、光ピックアップ１００は貫通孔内に設けられた軸受け１３、１４をさらに備えている。軸受け１３、１４は金属製の含油軸受けであることが好ましい。図２（ａ）は、図１（ｂ）の軸受け１３、１４近傍の構造を詳細に示す断面図である。また、図２（ｂ）は、図２（ａ）においてＰ部として示すように、軸受け部１２の一部を拡大して示す断面図である。
【００２６】
図２（ａ）および（ｂ）に示すように、軸受け部１２は、端面１２ｓおよび端面１２ｔと、端面１２ｓおよび端面１２ｔに設けられた開口４２ｓおよび開口４２ｔを有する貫通孔４２を有し、貫通孔４２にガイド主軸２００が挿入されている。また、軸受け１４は、圧入により貫通孔４２内において固定、支持されている。軸受け１４は、端面１４ｓおよび端面１４ｔと、端面１４ｓおよび端面１４ｔに設けられた開口７２ｓおよび開口７２ｔを有しておりガイド主軸２００が挿入される貫通孔７２を含んでいる。軸受け１４の端面１４ｓは軸受け部１２の端面１２ｓに近接しており、軸受け１４の端面１４ｓは貫通孔４２内において軸受け部１２の端面１２ｓから奥まって位置している。同様に、軸受け１４の端面１４ｔは軸受け部１２の端面１２ｔに近接しており、軸受け１４の端面１４ｔは貫通孔４２内において軸受け部１２の端面１２ｔから奥まって位置している。
【００２７】
軸受け部１２の貫通孔４２の内径は、好ましくは、軸受け１４の端面１４ｓ近傍において大きくなっている。このため、軸受け１４の端面１４ｓ近傍において、軸受け１４の外側面と軸受け部１２の貫通孔４２を規定する内側面との間に二重管に挟まれたリング形状の空隙１２ａが形成されている。空隙１２ａは、軸受けの２つの端面のうち、受光素子１０３に近接した側に位置している。軸受け部１２の貫通孔４２内において、軸受け１４と接触している部分の内径をＲ２とし、空隙１２ａが形成されている部分の内径をＲ１とした場合、Ｒ１＞Ｒ２の関係を満たしている。
【００２８】
軸受け部１１も、軸受け部１２と同様の構造を備えている。具体的には、軸受け部１１は、端面１１ｓおよび端面１１ｔと、端面１１ｓおよび端面１１ｔに設けられた開口４１ｓおよび開口４１ｔを有する貫通孔４１を含み、貫通孔４１にガイド主軸２００が挿入されている。また、軸受け１３は、圧入により貫通孔４１内において固定、支持されている。軸受け１３の貫通孔が設けられた２つの端面はそれぞれ軸受け部１１の端面１１ｓおよび端面１１ｔから奥まって位置している。また、２つの軸受け１３の２つの端面のうち光源１０１に近接した位置にある端面近傍において、軸受け１３の外側面と軸受け部１１の貫通孔４１を規定する内側面との間に二重管に挟まれたリング形状の空隙１１ａが形成されている。
【００２９】
図２（ｂ）に示すように、軸受け１４の幅Ｗ１１が２．５ｍｍの場合、空隙１２ａのガイド主軸２００と平行な方向における幅Ｗ１２が０．３ｍｍ以上、１ｍｍ以下であり、半径方向の幅Ｓ１１は０．１ｍｍ以上０．３ｍｍ以下であることが好ましい。
【００３０】
光ピックアップ１００が光ディスク装置に備えられる場合、ガイド主軸２００にはオイルが塗布される。通常、規定量で塗布されたオイルはガイド主軸２００全体を覆う程度であるが、規定量以上に塗布されたオイルはガイド主軸２００を覆うだけにとどまらず、含油軸受け１４周辺の受光素子１０３側や軸受け１３の光源１０１側へ流れ出す。特に、オイルは、良好に密接された２つの部品間のわずかな隙間であっても侵入しやすいため、受光素子１０３の検出面や光源１０１の発光面が光学ベース１０４の内部に向けて配置されていても、検出面および発光面を汚染する。このため、オイルが受光素子１０３に付着すると光ディスクからの反射光を正しく検出することができず、反射光に含まれるデータの読み出し性能が劣化する。
【００３１】
しかし、本実施形態の光ピックアップによれば、軸受けが軸受け部に設けられた貫通孔内に固定されており、軸受けの端面は貫通孔内において、軸受け部の端面より奥まっている。このため、ガイド主軸２００に塗布された過剰なオイルは、軸受けが奥まって支持されることによって貫通孔内に形成される空間内において、表面張力によりＬ１１およびＬ１２で示すようにとどまる。したがって、過剰なオイルが光ピックアップ内に飛散し、光ピックアップ内部の光学系などを汚染することを防止することができる。特に、軸受け部１１に支持される軸受け１３および軸受け部１２に支持される軸受け１４において、光源１０１および受光素子１０３に近接した端面近傍には空隙１１ａ、１２ａが設けられている。このため、過剰なオイルがとどまる空間を広くすることができ、光源１０１および受光素子１０３へオイルが飛散し、光源から出射する光を散乱させたり、検出感度を低下させたりするといった問題が生じるのをより確実に防止することができる。このような効果は、特に、光源および受光素子が対物レンズ１０２ａまたは対物レンズ１０２ｂに対してガイド主軸２００側に位置している場合により顕著に得られ、光源や受光素子の機能を低下させるオイルの飛散を効果的に防止できる。
【００３２】
また、このような構造を採用することによって、汎用的な軸受けを軸受け１３、１４に用いることができる。一方、空隙１１ａ、１２ａは、軸受け部１１、１２の貫通孔の開口近傍に位置するため、光学ベース１０４を鋳造によって容易に形成することが可能となる。したがって、本実施形態の光ピックアップは量産に適しており、また、製造コストを低減することもできる。
（第２の実施形態）
以下、本発明による光ピックアップの第２の実施形態を説明する。図３（ａ）は本実施形態の光ピックアップの主要部の断面構造を示している。図３（ｂ）は図３（ａ）に示すＱ部の拡大図である。
【００３３】
光学ベースの軸受け部２１、２２は、第１の実施形態の軸受け部１１、１２に対応している。また、軸受け２３、２４は第１の実施形態の軸受け１３、１４に対応している。図示しないその他の構成要素は、第１の実施形態と同じ構造を備えている。
【００３４】
本実施形態の光ピックアップは、軸受け部の貫通孔内に挿入された軸受けの両端面近傍において、空隙が形成されている点が第１の実施形態の光ピックアップと異なっている。
【００３５】
具体的には、軸受け部２２は、端面２２ｓ、２２ｔと端面２２ｓ、２２ｔに設けられた開口５２ｓ、５２ｔを有する貫通孔５２とを有する。貫通孔には軸受け２４が固定されている。軸受け２４の端面２４ｓ、２４ｔは、貫通孔５２内において、軸受け部２２の端面２２ｓ、２２ｔから奥まって位置している。
【００３６】
軸受け部２２の貫通孔５２の内径は、好ましくは、軸受け２４の端面２４ｓおよび端面２４ｔ近傍において大きくなっている。このため、軸受け２４の端面２４ｓおよび端面２４ｔ近傍において軸受け２４の外側面と軸受け部２２の貫通孔５２を規定する内側面との間に二重管に挟まれたリング形状の空隙２２ａおよび空隙２２ｂがそれぞれ形成されている。
【００３７】
軸受け部２２の貫通孔５２内において、軸受け２４と接触している部分の内径をＲ２とし、空隙２２ａ、２２ｂが形成されている部分の内径をＲ１、Ｒ３とした場合、Ｒ１＞Ｒ２であり、Ｒ３＞Ｒ２の関係を満たしている。Ｒ１とＲ３とは等しくても異なっていてもよい。軸受け部２１および軸受け２３も同様の構造を備えている。
【００３８】
図３（ｂ）に示すように、軸受け２４の幅Ｗ２１が２．５ｍｍの場合、空隙２２ａのガイド主軸２００と平行な方向における幅Ｗ２２が０．３ｍｍ以上、１ｍｍ以下であり、半径方向の幅Ｓ２１は０．１ｍｍ以上０．３ｍｍ以下であることが好ましい。同様に、空隙２２ｂのガイド主軸２００と平行な方向における幅Ｗ２３が０．３ｍｍ以上、１ｍｍ以下であり、半径方向の幅Ｓ２２は０．１ｍｍ以上０．３ｍｍ以下であることが好ましい。軸受け部２１および軸受け２３も同様のサイズで空隙２１ａ、２１ｂが形成されていることが好ましい。
【００３９】
本実施形態の光ピックアップによれば、軸受けが軸受け部に設けられた貫通孔内に固定されており、軸受けの端面は貫通孔内において、軸受け部の端面より奥まっている。さらに、軸受けの両端面において、空隙２２ａ、２２ｂが設けられている。このため、過剰なオイルがとどまる空間を軸受けの両端面近傍において広くすることができ、表面張力によって貫通孔内にとどめることのできるオイルＬ２１、Ｌ２２の量を増大させることができる。したがって、光源１０１受光素子へオイルが飛散し、光源から出射する光を散乱させたり、検出感度を低下させたりするといった問題が生じるのをより確実に防止することができる。
【００４０】
（第３の実施形態）
以下、本発明による光ピックアップの第３の実施形態を説明する。図４（ａ）は本実施形態の光ピックアップの主要部の断面構造を示している。図４（ｂ）は図４（ａ）に示すＱ部の拡大図である。
【００４１】
光学ベースの軸受け部３１、３２は、第１の実施形態の軸受け部１１、１２に対応している。また、軸受け３３、３４は第１の実施形態の軸受け１３、１４に対応している。図示しないその他の構成要素は、第１の実施形態と同じ構造を備えている。
【００４２】
本実施形態の光ピックアップは、軸受け部の貫通孔の端面において、貫通孔を規定する内側面から貫通孔の軸へ向かって伸びるリング状の壁部を有している点で第１の実施形態の光ピックアップと異なっている。
【００４３】
具体的には、軸受け部３２は、端面３２ｓ、３２ｔと端面３２ｓ、３２ｔに設けられた開口６２ｓ、６２ｔを有する貫通孔６２とを有する。貫通孔６２には軸受け３４が固定されている。軸受け３４の両端面は、貫通孔６２内において、軸受け部２２の端面３２ｓ、３２ｔから奥まって位置している。
【００４４】
第１の実施形態と同様、軸受け３４の受光素子１０３に近接した端面近傍には、空隙３２ａが設けられている。一方、軸受け部３２の端面３２ｔの近傍には、貫通孔６２の内側面から貫通孔６２の軸へ向かって伸びるリング状の壁部３２ｃが設けられている。壁部３２ｃは、軸受け部３２の端面３２ｔと同一平面を構成していてもよいし、壁部３２ｃは貫通孔６２内において、端面３２ｔから奥まっていてもよい。
【００４５】
軸受け部３２の貫通孔６２内において、軸受け３４と接触している部分の内径をＲ２とし、空隙３２ａが形成されている部分の内径をＲ１とし、壁部３２ｃの内径をＲ３とした場合、Ｒ１＞Ｒ２＞Ｒ３の関係を満たしている。
【００４６】
軸受け部３１および軸受け３３も同様の構造を備えている。ただし、軸受け部３１および軸受け３３では、軸受け３３の光源１０１に近接した端面に空隙３１ａが設けられている。また、軸受け部３１の空隙３１ａが設けられた端面と反対側の端面に壁部３１ｃが設けられている。
【００４７】
図４（ｂ）に示すように、軸受け３４の幅Ｗ３１が２．５ｍｍの場合、空隙３２ａのガイド主軸２００と平行な方向における幅Ｗ３２が０．３ｍｍ以上、１ｍｍ以下であり、半径方向の幅Ｓ３１は０．１ｍｍ以上０．３ｍｍ以下であることが好ましい。壁部３１ｃの内径は軸受へ３４の内径よりも若干大きく形成されている。軸受け３３の内径が３ｍｍであり外径が４ｍｍである場合、壁３１ｃの内径は３ｍよりも大きく、４ｍｍ未満であることが好ましい。軸受け部２１における空隙３１ａおよび壁部３１ｃも同様のサイズで形成されていることが好ましい。
【００４８】
本実施形態の光ピックアップによれば、軸受けの端面近傍にリング状の凹部３２ｂ、３１ｂを形成することができる。これにより、過剰なオイルは凹部３２ｂに溜まり、光ピックアップの内部側へオイルが流れ出さなくなる。このため、第１の実施形態よりも多くのオイルを確実に凹部３２ｂ、３１ｂにとどめることができ、オイルの飛散による光学性能の劣化をより確実に防止することができる。
【００４９】
なお、本実施形態では、軸受け部の２つの端面のうち、空隙に近接する端面とは反対側に壁部を設けているが、空隙に近接する端面に壁部を設けてもよい。具体的には、図２（ｂ）に示すように、空隙１２ａに近接した端面１２ｓ近傍に、貫通孔４２の内側面から貫通孔４２の軸へ向かって伸びるリング状の壁部５１を設けてもよい。ただし、壁部５１における内径Ｒ５と軸受け１４と接触する部分における内径Ｒ２とがＲ５＜Ｒ２であれば、軸受け１４を軸受け部１２の貫通孔４２へ外側から圧入するのが困難となる。このような場合には、壁部５１を軸受け部１２とは別の部材によって構成し、軸受け１４を貫通孔４２に圧入した後、壁部５１を貫通孔４２に圧入してもよい。このような壁部５２を設けることによって過剰なオイルをためる空間を広く確保し、かつ空間内にたまったオイルが外へ流れ出すのを確実に防止することができる。
【産業上の利用可能性】
【００５０】
本発明、種々の光ディスク装置の光ピックアップに好適に用いられる。特に、光学系とガイド主軸用の軸受け部とが近接している光ピックアップに好適に用いられる。
【図面の簡単な説明】
【００５１】
【図１】（ａ）は本発明による光ピックアップの第１の実施形態を示す斜視図であり、（ｂ）は図１（ａ）におけるＡ−Ａ断面を示している。
【図２】（ａ）は本発明による光ピックアップの第１の実施形態における主要部の断面図であり、（ｂ）はその拡大図である。
【図３】（ａ）は本発明による光ピックアップの第２の実施形態における主要部の断面図であり、（ｂ）はその拡大図である。
【図４】（ａ）は本発明による光ピックアップの第３の実施形態における主要部の断面図であり、（ｂ）はその拡大図である。
【符号の説明】
【００５２】
１０  副軸軸受部
１１、１２、２１、２２、３１、３２  主軸軸受部
１３、１４、２３、２４、３３、３４  軸受け
１１ａ、１２ａ、２１ａ、２１ｂ、２２ａ、２２ｂ、３１ａ、３２ａ  空隙
１００  光ピックアップ
１０４  光学ベース
１０１  レーザ光源
１０２  対物レンズ
１０３  受光素子
２００  ガイド主軸
２０１  ガイド副軸
【図１】
2007179625.tif 000003
【図２】
2007179625.tif 000004
【図３】
2007179625.tif 000005
【図４】
2007179625.tif 000006